【手続補正書】
【提出日】平成17年8月31日(2005.8.31)
【手続補正１】
【補正対象書類名】明細書
【補正対象項目名】特許請求の範囲
【補正方法】変更
【補正の内容】
【特許請求の範囲】
【請求項１】  原子炉の圧力容器における炉心スプレーシステムのための連結装置であって、
内面と、外面と、前記内面と前記外面との間を延びるシュラウド開口部とを含むシュラウドと、
入口と、第１出口と、第２出口と、前記入口に対向するボルト開口部とを有するＴボックスハウジングと、
第１端部と第２端部とを有し、前記第１端部が内部と外部とを有する降水管エルボと、
該降水管エルボの第１端部の内部に取り付けられたスパイダと、
前記Ｔボックスハウジングのボルト開口部と、前記Ｔボックスハウジングの入口と、前記シュラウド開口部とを貫通して延びて前記スパイダに係合し、前記Ｔボックスハウジングの入口を前記シュラウドの内面に連結し、前記降水管エルボを前記シュラウドの外面に連結する引張ボルトと、
を備えることを特徴とする連結装置。
【請求項２】  原子炉の圧力容器における炉心スプレーシステムのための連結装置であって、
内面と、外面と、前記内面と前記外面との間を延びるシュラウド開口部と、該シュラウド開口部に隣接する複数のボルト開口部とを含むシュラウドと、
入口と、第１出口と、第２出口と、複数の側部ブラケットと、該側部ブラケットのボルト開口部とを有するＴボックスハウジングと、
取付けフランジと、複数のフランジのボルト受けとを含む降水管エルボと、
前記Ｔボックスハウジングの側部ブラケットと前記シュラウドのボルト開口部とを貫通して延びて前記降水管エルボの取付けフランジのボルト受けに係合し、前記Ｔボックスハウジングの入口を前記シュラウド内面に連結し、前記降水管エルボを前記シュラウドの外面に連結する複数の引張ボルトと、
を備えることを特徴とする連結装置。
【請求項３】  前記Ｔボックスハウジングの入口が、シート面を備えることを特徴とする、請求項１又は請求項２に記載の連結装置。
【請求項４】  前記シュラウドの外面が、前記シュラウド開口部に隣接するシュラウド外面のシート面を備えることを特徴とする、請求項１又は請求項２に記載の連結装置。
【請求項５】  前記スパイダが、中心軸線と、ねじ付きハブと、該ねじ付きハブから半径方向に延びる複数のウェブ部材とを備えることを特徴とする、請求項１に記載の連結装置。
【請求項６】  前記引張ボルトが、
操作部分を含むボルト頭部と、
該ボルト頭部から延び、前記スパイダにねじ係合する大きさにされたねじ付きシャフトと、
前記ボルト頭部にクリンプ取り付けされるように構成されたボルト保持器と、球面状の端部を含む非円形の座金基部と、前記ボルト頭部を受ける大きさにされたボルト受けとを含む球面座金と、
を備えることを特徴とする、請求項１又は請求項２に記載の連結装置。
【請求項７】  原子炉の圧力容器における炉心スプレーシステムのための連結装置であって、
内面と、外面と、前記内面と前記外面との間を延びるシュラウド開口部と、該シュラウド開口部に隣接するシュラウド内面の球面状のシート面と、前記シュラウド開口部に隣接するシュラウド外面及び取付け溝とを含むシュラウドと、
入口と、第１出口と、第２出口と、前記入口に対向するボルト開口部と、前記シュラウド内面の球面状のシート面に係合する大きさにされたＴボックスの球面シートを含む入口シート面と、前記ボルト開口部に隣接する非円形の端ぐりとを有するＴボックスハウジングと、
第１端部と第２端部とを有し、前記第１端部が内部と外部とを有し、前記取付け溝内に受けられる大きさにされた舌部を更に含む降水管エルボと、
前記降水管エルボの第１端部の内部に取り付けられ、中心軸線と、ねじ付きハブと、該ねじ付きハブから半径方向に延びる複数のウェブ部材とを含み、流れ抵抗を最小限にするように構成されたスパイダと、
操作部分を含むボルト頭部と、該ボルト頭部から延びるねじ付きシャフトと、前記ボルト頭部にクリンプ取り付けされるように構成されたボルト保持器と球面状の端部を含む座金基部と前記ボルト頭部を受ける大きさにされたボルト受けとを含む球面座金と、を含み、前記Ｔボックスハウジングのボルト開口部と、前記前記Ｔボックスハウジングの入口と、前記シュラウド開口部とを貫通して延びて前記スパイダに係合し、前記Ｔボックスハウジングの入口を前記シュラウドの内面に連結し、前記降水管エルボを前記シュラウドの外面に連結する引張ボルトと、
を備えることを特徴とする連結装置。
【請求項８】  原子炉の圧力容器における炉心スプレー噴霧器のためのブラケット組立体であって、
内面と、外面と、シュラウドボルト開口部とを含み、該シュラウドボルト開口部が前記シュラウド内面における端ぐりを含むシュラウドと、
ボルト受けを有する取付けブラケットを含む炉心スプレー噴霧器と、
前記端ぐりに受けられる大きさにされた嵌込みスペーサと、
操作頭部と、該操作頭部から延びるボルトシャフトとを含み、該ボルトシャフトが、ねじ付き部分と、シャフト周辺部と、該ボルトシャフト周辺部にある複数のスカラップとを有する引張ボルトと、
球面状のキャビティを含む球面座金と、
前記シャフトのスカラップにクリンプ取り付けされるように構成されたボルト保持器と、前記球面座金に受けられる大きさにされた球面状の部分とを含み、前記嵌込みスペーサにかかる圧縮張力を維持する球面ナットと、
を備えることを特徴とするブラケット組立体。
【請求項９】  原子炉の圧力容器における、端キャップと複数のスプレーノズルとを含む炉心スプレーラインのための端クランプ組立体であって、
外面と、各々がボルト開口部を含む少なくとも一つのフランジ部分とを含む上部スリーブと、
外面と、少なくとも一つのボルト受けと、止めピン開口部と、それからほぼ垂直に延びる端部分とを含み、前記上部スリーブに連結されるように構成された下部スリーブと、
前記下部スリーブの止めピン開口部を貫通して前記炉心スプレーライン内に延びる止めピンと、
前記上部スリーブのフランジ部分を貫通して延びて前記下部スリーブのボルト受けに係合する複数の締付けボルトと、
を備え、
前記下部スリーブの端部分が、前記炉心スプレーラインの端キャップに接触している、
ことを特徴とする端クランプ組立体。
【請求項１０】  原子炉の圧力容器における炉心スプレー噴射器であって、
該炉心スプレー噴射器が、
炉心スプレーラインの端キャップを含む複数の炉心スプレーラインと、
連結装置と、
ブラケット組立体と、
端クランプ組立体と、
を備え、
前記連結装置が、
内面と、外面と、前記内面と前記外面との間を延びるシュラウド開口部とを含むシュラウドと、
入口と、前記炉心スプレーラインに接続される第１出口と、前記炉心スプレーラインに接続される第２出口と、前記入口に対向するボルト開口部とを含むＴボックスハウジングと、
第１端部と第２端部とを含み、前記第１端部が内部と外部を有する降水管エルボと、
該降水管エルボの第１端部の内部に取り付けられたスパイダと、
前記Ｔボックスハウジングのボルト開口部と、前記Ｔボックスハウジングの入口と、前記シュラウド開口部とを貫通して延びて前記スパイダに係合し、前記Ｔボックスハウジングの入口を前記シュラウド内面に連結し、前記降水管エルボを前記シュラウド外面に連結する引張ボルトと、
を備え、
前記ブラケット組立体が、
前記シュラウド内面に端ぐりを有する、前記シュラウドに更に含まれるシュラウドのボルト開口部と、
ボルト受けを含み、前記炉心スプレーラインに連結された取付けブラケットと、
前記端ぐりに受けられる大きさにされた嵌込みスペーサと、
操作頭部と、該操作頭部から延びるボルトシャフトとを含み、前記ボルトシャフトが、ねじ付き部分と、シャフト周辺部と、該ボルトシャフト周辺部にある複数のスカラップとを含む噴霧器ボルトと、
球面状のキャビティを含む球面座金と、
前記シャフトのスカラップにクリンプ取り付けされるように構成されたボルト保持器と、前記球面座金に受けられるように構成された球面状の部分とを含み、前記嵌込みスペーサにかかる圧縮張力を維持する球面ナットと、
を備え、
前記端クランプ組立体が、
外面と、各々がボルト開口部を含む少なくとも一つのフランジ部分とを含む上部スリーブと、
外面と、少なくとも一つのボルト受けと、止めピン開口部と、それからほぼ垂直に延びる端部分とを含み、前記上部スリーブに連結されるように構成された下部スリーブと、
前記下部スリーブの止めピン開口部を貫通して、前記炉心スプレーライン内に延びる止めピンと、
前記上部スリーブのフランジ部分を貫通して延びて前記下部スリーブのボルト受けに係合する複数の締付けボルトと、
を備え、
前記下部スリーブの端部分が、前記炉心スプレーラインの端キャップに接触している、
ことを特徴とする炉心スプレー噴霧器。